(57)【要約】【課題】安価で強固な固定金具を有する電気コネクタの製造方法を提供することを課題とする。【解決手段】金属帯を帯状キャリアと該帯状キャリアから定間隔で複数延出する細条片とを有する形状に加工してキャリア付細条片を形成し、細条片を一括して所定形状に板厚方向に曲げ加工し、これらの細条片をハウジング２との一体成形により、もしくは該ハウジング２への挿入により該ハウジング２に保持せしめ、しかる後にキャリアを細条片から切り離し除去して、一端が相手コネクタと接続可能なハウジングの位置に配設されている細条片を端子３とし、埋没部がハウジングに埋没して保持されている細条片を固定金具４とする。【選択図】図１
2011258575.tif 000002
【特許請求の範囲】
【請求項１】
ハウジングに複数の端子と複数の固定金具が保持されていて、一端側に接触部を有する端子の他端側が接続部として、そして一端側にハウジングへの埋没部を有する固定金具の他端側が固定用の脚部としてそれぞれハウジング外に延出して接続対象の取付面上に位置するようになっており、端子と固定金具が同列に配列されている電気コネクタの製造方法において、金属帯を打ち抜いて、該金属帯を帯状キャリアと該帯状キャリアから複数延出する同一形状の細条片とを有する形状に加工してキャリア付細条片を形成し、該キャリア付細条片の細条片を該細条片の幅をそのまま維持しつつ一括して同一形状に板厚方向に曲げ加工して、コネクタの挿抜方向に向く縦部分と横方向に向く横部分とを有するＬ字状の中間部を形成すると共に、縦部分よりも先方の一端側に曲部をそして横部分よりも先方の他端側にハウジングの底面とほぼ同じレベルに位置する直状部分をそれぞれ形成し、上記キャリア付細条片から曲げ加工により形成された端子と固定金具を配列状態でハウジングとの一体成形により該ハウジングに保持せしめ、上記一端側で上記曲部の少なくとも一部が露呈して相手コネクタと接続可能な接触部への導入部としてハウジングに配設されている細条片を端子とし、上記曲部を含む埋没部が端子の配列方向両端に位置してハウジングの両端を形成する端壁部に埋没して保持されている細条片を固定金具とし、しかる後にキャリア付細条片からキャリアを切り離し除去することを特徴とする固定金具を有する電気コネクタの製造方法。
【請求項２】
ハウジングに複数の端子と複数の固定金具が保持されていて、一端側に接触部を有する端子の他端側が接続部として、そして一端側にハウジングへの埋没部を有する固定金具の他端側が固定用の脚部としてそれぞれハウジング外に延出して接続対象の取付面上に位置するようになっており、端子と固定金具が同列に配列されている電気コネクタにおいて、金属帯を打ち抜いて、該金属帯を帯状キャリアと該帯状キャリアから複数延出する同一形状の細条片とを有する形状に加工してキャリア付細条片を形成し、該キャリア付細条片の細条片を該細条片の幅をそのまま維持しつつ一括して同一形状に板厚方向に曲げ加工して、コネクタの挿抜方向に向く縦部分と横方向に向く横部分とを有するＬ字状の中間部を形成すると共に、縦部分よりも先方の一端側に曲部をそして横部分よりも先方の他端側にハウジングの底面とほぼ同じレベルに位置する直状部分をそれぞれ形成し、上記キャリア付細条片から曲げ加工により形成された端子と固定金具を配列状態でハウジングとの一体成形により該ハウジングに保持せしめ、上記一端側で上記曲部の少なくとも一部が露呈して相手コネクタと接続可能な接触部への導入部としてハウジングに配設されている細条片を端子とし、上記曲部を含む埋没部が端子の配列方向両端に位置してハウジングの両端を形成する端壁部に埋没して保持されている細条片を固定金具とし、しかる後にキャリア付細条片からキャリアを切り離し除去することを特徴とする固定金具を有する電気コネクタ。
【発明の詳細な説明】
【技術分野】
【０００１】
本発明は固定金具を有する電気コネクタ及びその製造方法に関する。
【背景技術】
【０００２】
固定金具を有する電気コネクタとしては、特許文献１に開示されているものが知られている。
【０００３】
この公知のコネクタは、添付図面の図９に見られるように、ハウジング５０に端子５１が複数植設されており、該端子５１はハウジングの底部位置で側方に向け屈曲され延出する接続部５１Ａを有している。又、ハウジング５０の長手方向端部近傍には、強度を有する固定金具５２が取り付けられている。この固定金具５２も、上記ハウジングの底部位置で側方に延出する脚部５２Ａを有している。かかる固定金具５２は、図の上方に示されているように複雑な形状の取付部５３を有しており、この取付部がハウジングの対応溝内に圧入されてハウジング５０により保持される。
【０００４】
使用に際しては、上記コネクタは取付対象の取付面、例えば回路基板の面上に配置され、端子５１の接続部５１Ａと固定金具５２の脚部５２Ａが回路基板の面に接面する。接続部５１Ａは接面せる対応回路部と半田接続され、脚部５２Ａは対応部位と半田固定される。この固定金具５２の脚部５２Ａの半田固定によってコネクタは回路基板に保持される。
【先行技術文献】
【特許文献】
【０００５】
【特許文献１】特開平９−１３９２４２
【発明の概要】
【発明が解決しようとする課題】
【０００６】
しかしながら、図９の公知のコネクタにあっては、別途固定金具を必要とすることに起因し、いくつかの解決すべき課題を残している。先ず、固定金具を用意せねばならず、部品点数が増え、加工そして組立も工数が複雑化し、ひいてはコスト高となる。
【０００７】
更に、端子と固定金具の製造工程は、別々であるため、その寸法の管理も異なり、コネクタを回路基板に実装するとき、端子と固定金具との間に段差が生じ、回路基板に対する平坦度が一致しないという問題がある。
【０００８】
本発明はかかる課題を解決し、安価な取付金具を有し、回路基板に対する平坦度が一致し、回路基板への確実な実装が得られる電気コネクタ及びその製造方法を提供することを目的とする。
【課題を解決するための手段】
【０００９】
本発明は、ハウジングに複数の端子と複数の固定金具が保持されていて、一端側に接触部を有する端子の他端側が接続部として、そして一端側にハウジングへの埋没部を有する固定金具の他端側が固定用の脚部としてそれぞれハウジング外に延出して接続対象の取付面上に位置するようになっており、端子と固定金具が同列に配列されている電気コネクタ及びその製造方法に関する。
【００１０】
かかる電気コネクタ及びその製造方法において、本発明では、金属帯を打ち抜いて、該金属帯を帯状キャリアと該帯状キャリアから複数延出する同一形状の細条片とを有する形状に加工してキャリア付細条片を形成し、該キャリア付細条片の細条片を該細条片の幅をそのまま維持しつつ一括して同一形状に板厚方向に曲げ加工して、コネクタの挿抜方向に向く縦部分と横方向に向く横部分とを有するＬ字状の中間部を形成すると共に、縦部分よりも先方の一端側に曲部をそして横部分よりも先方の他端側にハウジングの底面とほぼ同じレベルに位置する直状部分をそれぞれ形成し、上記キャリア付細条片から曲げ加工により形成された端子と固定金具を配列状態でハウジングとの一体成形により該ハウジングに保持せしめ、上記一端側で上記曲部の少なくとも一部が露呈して相手コネクタと接続可能な接触部への導入部としてハウジングに配設されている細条片を端子とし、上記曲部を含む埋没部が端子の配列方向両端に位置してハウジングの両端を形成する端壁部に埋没して保持されている細条片を固定金具とし、しかる後にキャリア付細条片からキャリアを切り離し除去することを特徴としている。
【００１１】
このような本発明の電気コネクタ及びその製造方法においては、キャリア付細条片を形成する際に、帯状キャリアを所定数の細条片の範囲と対応する長さで切断することなく、複数のコネクタのハウジングに保持せしめ、この細条片の曲げ加工後に、個々のコネクタに分離するときに切断してもよい。
【発明の効果】
【００１２】
本発明は、以上のごとく、固定金具と端子をキャリア付細条片として形成しハウジングにより保持することとしたので、固定金具を端子とは別工程で加工そして取り付ける必要がなくコネクタを構成する部品の種類が減ると共に、固定金具と端子とを同時にハウジングと一体成形することができるようになり、コネクタのコスト低下を図ることができる。又、固定金具と端子とが同時に同様に組込まれるので、固定金具と端子とは、回路基板に対する平坦度が一致し、回路基板への確実な実装が得られる。製造方法においても、その工程を単純化することができる。さらに、固定金具は埋没部でハウジングにより堅固に保持されるので固定強度が向上する。
【図面の簡単な説明】
【００１３】
【図１】本発明の一実施形態のコネクタを示し、（Ａ）は平面図、（Ｂ）は正面図、（Ｃ）は部分破断側面図である。
【図２】図１のコネクタの端子及び固定金具のハウジングへの挿着前の斜視図である。
【図３】図１のコネクタの断面図で、（Ａ）は端子位置、（Ｂ）は固定金具位置での断面である。
【図４】図１のコネクタと相手コネクタの断面図で、両者の結合前を示す。
【図５】本発明の他の実施形態のコネクタの断面図であり、（Ａ）は端子位置、（Ｂ）は固定金具位置での断面である。
【図６】本発明のさらに他の実施形態のコネクタの断面図であり、（Ａ）は端子位置、（Ｂ）は固定金具位置での断面である。
【図７】本発明のさらに他の実施形態のコネクタの断面図である。
【図８】本発明のさらに他の実施形態のコネクタの部分破断断面図である。
【図９】従来のコネクタの斜視図である。
【発明を実施するための形態】
【００１４】
以下、添付図面の図１ないし図８にもとづき、本発明の実施の形態を説明する。
【００１５】
図１は本発明の一実施形態のコネクタを示し、図１（Ａ）はこのコネクタの一部破断平面図、（Ｂ）は正面図、（Ｃ）は側面図である。
【００１６】
図１のコネクタ１は、略直方体の外形をなし、絶縁材のハウジング２により複数の端子３そして固定金具４が保持されている。ハウジング２は図１（Ａ）,（Ｂ）に見られるように横長に形成され、その両側にて長手方向に端子３そして固定金具４が等間隔に配列されている。該固定金具４はこの配列方向の両端にて二つずつ設けられている。
【００１７】
上記ハウジング２は、上方に開口して、相手コネクタの受入れのための受入部５が有底凹部形状に形成されている。端子の配列方向たる長手方向で該受入部５の両端側の上縁には、相手コネクタの受入れを容易にするための導入テーパ部５Ａが設けられている。
【００１８】
上記受入部５の長手方向に延びる対向内縁に沿って端子３そしてその両端側に固定金具４が位置している。該端子３及び固定金具４は、同一の金属板から同時に、同一金型で作られている。例えば、図１のものにあっては、図２に見られるように、金属板を打ち抜いて帯状のキャリアＡ１から定間隔ｐで櫛歯状に延出する一連の細条片Ａ２を有する二点鎖線で示される部材を形成し、これを実線のごとく曲げ加工して得られる。これらの細条片Ａ２が端子としてそして固定金具として用いられる。この曲げ加工は、これら細条片Ａ２がハウジングに保持される前になされる。キャリアＡ１は、ハウジングに保持される前に切り離されることも、あるいは上記保持後に切り離されることもある。
【００１９】
このように、端子３と固定金具４は同一形状の細条片で形成されるので、ここでは、その形状に関し、端子３について説明する。端子３は、図３（Ａ）に見られるように、略Ｌ字状に屈曲された中間部に対して一端側に直状の接触部３Ａそして他端側に直状の接続部３Ｂを有している。接触部３Ａは上記ハウジングの受入部５の内方に向いて該受入部の面と同一面もしくは若干突出しており、上端部は略半円状に湾曲して導入部３Ｃを形成している。この導入部３Ｃは、図１（Ａ）そして図２からも判るように、他部よりも幅広になっている。接続部３Ｂは、中間部３Ｄから若干クランク状に屈曲された他端側に水平に延出し、ハウジング２の底面２Ａとほぼ同一レベルに位置しており、ハウジングの底面２Ａが回路基板上に配されたときに該回路基板の対応固定部の面に接する位置にある。固定金具４は、図３（Ｂ）に見られるように、上記端子３の接続部３Ｂに対応する部分が固定用の脚部４Ｂとなり、端子３の接続部３Ｂと固定金具４の脚部４Ｂとは回路基板に対する平坦度が一致する（同一平面上に位置するようになる）。
【００２０】
本実施形態にあっては、図２のごとく上記端子３及び固定金具４が曲げ加工を受けた形状でキャリアＡ１につながっている状態で、モールド成形金型（図示せず）に配置されてハウジング２と一体モールド成形されて該ハウジング２により保持され、しかる後に上記キャリアＡ１が切り離されて図１及び図３のごとくの形態となる。上記モールド成形後、端子３の接触部３Ａは、既述のごとく、受入部５の内面と同一面もしくは若干突出して位置し（図３（Ａ）参照）、固定金具４は中間部から上方の部分（端子３の中間部から導入部３Ｃに至る部分に相当する部分）が端子配列方向にてハウジング２の両端の壁部内に埋没されて、ハウジング２により堅固に保持される（図３（Ｂ））参照）。
【００２１】
一方、相手コネクタ１０は図４に見られるように、ハウジング１１に端子１２が植設されている。この形態にあっては、端子１２は図４の紙面に平行な金属板を図示の形に打ち抜いて得られており、弾性を有するＣ形状の接触部１２Ａ、係止突起を有する係止部１２Ｂ、水平にハウジング１１外に延出する脚部１２Ｃを有している。ハウジング１１は、上記のコネクタ１の端子３の配列位置に対応した位置にスリット１３が形成されていて、上記端子１２は図４において上方からこのスリット１３内に挿着される。そして係止部１２Ｂがスリットへの圧入時に係止突起のハウジングへの係止により所定位置からの抜けを防止する。
【００２２】
使用に際しては、本発明のコネクタ１について端子３の接続部３Ｂそして固定金具４の脚部４Ｂを回路基板の対応回路部そして固定部へそれぞれ半田接続し、相手コネクタ１０についても端子１２の接続部１２Ｃを回路基板の対応回路部へ半田接続する。かくして、本発明のコネクタは、数多い端子の接続部３Ｂでの半田によっても回路基板上への固定力を得るが、部分４Ａ，４Ｃ，４Ｄにてハウジングにより強固に保持されている固定金具４の脚部４Ｂでの半田により大部分の固定力を確保できる。かかる両コネクタ１，１０の嵌合時の端子の接触部３Ａ，１２Ａ同士の弾性接触により両回路基板は電気的に接続される。
【００２３】
本発明は、既出の形態に限定されず、他の形態でも可能である。例えば、図１〜図４の例では端子そして固定金具はハウジングとの一体モールド成形によりハウジングに保持されていたが、これらはハウジングに圧入して取りつけることも可能である。図５（Ａ），（Ｂ）は、それぞれ図３（Ａ），（Ｂ）に対応する位置での様子を示し、端子そして固定金具の各部位も図３の場合と同一符号で示されている。図５（Ａ）にて下方から圧入された端子３はハウジング２のスリット５Ａの両面（紙面に平行な対向面）で支持されており、接触部３Ａは受入部５に臨んでいる。又、固定金具４は、上記スリット５Ａへ下方から圧入されることにより部分４Ａの弾性を利用して、スリットの左右端面にても保持されている。
【００２４】
図６の例は、端子３の接触部３Ａの部分の形が図５のものと比して異なるものについて、図１〜４と同様に一体モールド成形により該端子そして固定金具を保持する形態を示している。端子３は、図６（Ａ）のごとく、ハウジング２の受入部５の底部に沿って延びた後に上方に向け屈曲されたＳ字状の接触部３Ａを有している。中間部３ＤはＵ字状に屈曲されていて、ハウジングとのモールド一体成形による保持力を強めている。そして、ハウ
ジング下部からは接続部３Ｂが水平に延出している。一方、固定金具４は、ハウジング外に延出する脚部４Ｂ以外はすべてハウジングと一体モールド成形されていて強固に保持されている。
【００２５】
又、本発明は、図１〜４の実施形態で示した相手コネクタの形式のものにも適用可能である。図７のコネクタにおいては、図示しない端子は図４のコネクタの端子と全く同じである。そして図７において、図４の端子１２と同一形態の固定金具２２は、曲状の弾性圧入部２２Ａと、係止突起が設けられた係止部２２Ｂと、脚部２２Ｃとを有している。この固定金具２２の上記弾性圧入部２２Ａ、係止部２２Ｂそして脚部２２Ｃは図４の端子１２の接触部１２Ａ，係止部１２Ｂそして接続部１２Ｃと対応しそれぞれ同一形状をなしている。図７の固定金具２２の弾性圧入部２２Ａはハウジング１１の対応溝１１Ａへ圧入されており、かくして該固定金具２２はこの弾性圧入部２２Ａと係止部２２Ｂの両者のハウジングへの圧入により強固に保持される。
【００２６】
さらに、本発明は、端子の接触部がハウジングの側面に突出している形式のコネクタにも適用できる。例えば、図８のごとく、ハウジング３１の両側部に段部が形成されていて、その段部側面３１Ａに窓部３１Ｂが形成されていて、ここに端子３の接触部３Ａが突出している。固定金具４は端子３と同一形状の細条片で形成されていて、端子３の接続部３Ｂに相当する脚部４Ｂがハウジング外に突出しているが、他部はハウジングとの一体モールド成形によりハウジングに埋没保持されている。
【００２７】
以上のような本発明においては、モールド成形時にハウジングの受入部の大きさを変更するだけで、端子と固定金具の数を容易に変更できる。すなわち、固定金具に大きな固定力を要求するときには、端子の数を若干減らしてこの分だけ固定金具の数を増やすこともでき、そして、固定力の小さくともよいときには、すべてを端子とすることもできる。
【符号の説明】
【００２８】
１  コネクタ                          ４Ｂ  脚部
２  ハウジング                        ５  受入部
３  端子                              ２２  固定金具
３Ａ  接触部                          Ａ１  キャリア
３Ｂ  接続部                          Ａ２  細条片
４  固定金具
【図１】
2011258575.tif 000003
【図２】
2011258575.tif 000004
【図３】
2011258575.tif 000005
【図４】
2011258575.tif 000006
【図５】
2011258575.tif 000007
【図６】
2011258575.tif 000008
【図７】
2011258575.tif 000009
【図８】
2011258575.tif 000010
【図９】
2011258575.tif 000011